(57)【要約】【課題】インクジェットヘッドへの用紙の接触を低減できるインクジェット印刷装置を提供する。【解決手段】搬送される用紙にインクを吐出するインクジェットヘッド６１Ａ〜６１Ｄと、インクジェットヘッド６１Ａ〜６１Ｄより下側において、用紙搬送方向に沿って間隔を空けて配置され、用紙を支持する複数のヘッド下支持ローラー２６〜３０と、ヘッド下支持ローラー２６〜３０の表面に不平等電界を形成させる不平等電界生成手段５とを備える。前記ヘッド下支持ローラー２６〜３０は不導電体であり、前記不平等電界生成手段５は、ヘッド下支持ローラー２６〜３０に接触させた電極ローラー５２と、電極ローラー５２に交流電圧をかけ狭間隔で正逆の電荷を印加する印加手段５１とを有する。【選択図】図１
2017043471.tif 000002
【特許請求の範囲】
【請求項１】
搬送される用紙にインクを吐出するインクジェットヘッドと、
前記インクジェットヘッドより下側において、用紙搬送方向に沿って間隔を空けて配置され、用紙を支持する複数の支持部材と、
前記支持部材の表面に不平等電界を形成させる不平等電界生成手段と
を備えることを特徴とするインクジェット印刷装置。
【請求項２】
前記支持部材は、不導電体であるガイドローラーを有し、
前記不平等電界生成手段は、
前記ガイドローラーに接触させた電極ローラーと、
前記電極ローラーに交流電圧をかけ、狭間隔で正逆の電荷を印加する印加手段と
を有することを特徴とする請求項１に記載のインクジェット印刷装置。
【発明の詳細な説明】
【技術分野】
【０００１】
本発明は、インクジェットヘッドからインクを吐出して印刷するインクジェット印刷装置に関する。
【背景技術】
【０００２】
ウェブと呼ばれる長尺な連続紙からなる記録媒体を搬送しつつ、インクジェットヘッドからインクを吐出して印刷するインクジェット印刷装置が知られている。このウェブ用インクジェット印刷装置では、インクジェットヘッドのノズル面からウエブまでの距離が遠くなると、ヘッド自体が持っている吐出方向の誤差や、高速で搬送されているウエブの揺れなどによる着弾位置ずれが顕著になり、また、ミストやサテライトも増大して画像性が悪化する。このため、このウェブ用インクジェット印刷装置では、画質向上のためにインクジェットヘッドのノズル面はウエブに対して１ｍｍ以下の距離に設定されている。
【０００３】
ところで、ウェブ用インクジェット印刷装置では、例えば、使用者が印刷装置に危険や異常に気づき非常停止ボタンを押した場合や、停電やコンセントが抜けて印刷装置に電源が供給されなくなった場合、印刷装置がウエブのジャムや故障により物理的に動けなくなった場合などに、印刷処理の実行中に急停止することがある。
【０００４】
これらの場合、ウェブの最上流及び最下流にロール状に巻かれたウエブの慣性が大きいことから、印刷機が急停止してもウエブの搬送は急には止まることはできない。また、印刷部内の各ローラーにブレーキは付いていないことから、急停止したときには、それぞれのローラーは慣性で回り続けることとなり、この回転によって、図６に示すように、ウエブが若干弛みが起きたり、停止後、ウエブが反発力で搬送方向とは逆方向に進み、弛みが起きたりする。
【０００５】
このような印刷装置の急停止時におけるウエブの急停止対策としては、特許文献１に開示された技術がある。この特許文献１の技術では、ウェブ取込機構とウェブ搬送機構との間で、ウェブを自重で弛ませて所謂エアループを形成し、このエアループをバッファとして制御することによって、給紙装置の緊急停止動作に対し、慣性力によるウエブの進行を吸収する。これにより、給紙装置の緊急停止時に、ウェブ搬送機構の動作が停止するまでの時間を確保することで、ウェブ搬送機構などに対するダメージを回避している。
【先行技術文献】
【特許文献】
【０００６】
【特許文献１】特開２０１２−１３６３０１号公報
【発明の概要】
【発明が解決しようとする課題】
【０００７】
しかしながら、特許文献１の技術では、バッファを制御して慣性力によるウエブの進行を吸収する方法であるため、インクジェットヘッド近傍で発生するウエブの弛みには対応できていないという問題がある。このようなウエブの弛みや破断が生じると、ウェブがインクジェットヘッドに接触する所謂ヘッドアタックが生じるおそれがあり、ウエブがノズルに接触すると、印刷面の汚れ、ノズルのメニスカス破壊、ノズル面の損傷などの不具合を招く可能性がある。
【０００８】
本発明は上記に鑑みてなされたもので、異常停止時になどにおけるインクジェットヘッドへの用紙の接触を低減し、インクジェットヘッド周りの不具合の発生を回避できるインクジェット印刷装置を提供することを目的とする。
【課題を解決するための手段】
【０００９】
上記目的を達成するため、本発明に係るインクジェット印刷装置の第１の特徴は、搬送される用紙にインクを吐出するインクジェットヘッドと、前記インクジェットヘッドより下側において、用紙搬送方向に沿って間隔を空けて配置され、用紙を支持する複数の支持部材と、前記支持部材の表面に不平等電界を形成させる不平等電界生成手段とを備えることにある。
【００１０】
本発明に係るインクジェット印刷装置の第２の特徴は、前記支持部材が、不導電体であるガイドローラーを有し、前記不平等電界生成手段が、前記ガイドローラーに接触させた電極ローラーと、前記電極ローラーに交流電圧をかけ、狭間隔で正逆の電荷を印加する印加手段とを有することにある。
【発明の効果】
【００１１】
本発明に係るインクジェット印刷装置の第１の特徴によれば、不平等電界生成手段によって、支持部材の表面に不平等電界を発生させることにより、支持部材間の用紙を下方に押し下げるような、グラジエント力による吸着力を発生させることができる。これにより、用紙搬送の異常停止により用紙に弛みや破断が生じた場合でも、用紙のインクジェットヘッドへの接近を抑えることができ、インクジェットヘッドへの用紙の接触を低減して、インクジェットヘッド周りの不具合の発生を回避できる。
【００１２】
本発明に係るインクジェット印刷装置の第２の特徴によれば、支持部材として不導電体であるガイドローラーを設け、このガイドローラーに接触させた電極ローラーを通じて、印加手段により交流電圧をかけて狭間隔で正逆の電荷を印加することにより、支持部材間の用紙を下方に押し下げるような、吸着力を発生させることができる。この結果、用紙を支持する支持部材に、不平等電界生成手段を一体化させることができ、既存の機構に大きな変更を加えることなく、インクジェットヘッドへの用紙の接触を低減して、異常停止時などにおけるインクジェットヘッド周りの不具合の発生を回避できる。
【図面の簡単な説明】
【００１３】
【図１】実施形態に係るインクジェット印刷装置の概略構成図である。
【図２】図１に示すインクジェット印刷装置のヘッド下搬送部の要部平面図である。
【図３】図１に示すインクジェット印刷装置の制御ブロック図である。
【図４】図１に示すインクジェット印刷装置の不平等電界生成手段の構成を示す模式図である。
【図５】図１に示すインクジェット印刷装置の不平等電界生成手段によって用紙が押し下げられる動作を示す説明図であり、（ａ）は通常搬送時の状態を示し、（ｂ）は異常停止した状態を示す。
【図６】従来例によるインクジェットヘッドへ用紙が接触する状態を示す説明図である。
【発明を実施するための形態】
【００１４】
以下、本発明の実施の形態について、図面を参照して説明する。各図面を通じて同一若しくは同等の部位や構成要素には、同一若しくは同等の符号を付している。なお、以下に示す実施の形態は、この発明の技術的思想を具体化するための装置などを例示するものであって、この発明の技術的思想は、各構成部品の材質、形状、構造、配置などを下記のものに特定するものでない。この発明の技術的思想は、特許請求の範囲において、種々の変更を加えることができる。
【００１５】
（インクジェット印刷装置の構成）
図１は、本発明の実施形態に係るインクジェット印刷装置の概略構成図である。図２は、図１に示すインクジェット印刷装置のヘッド下搬送部の要部平面図である。図３は、図１に示すインクジェット印刷装置の制御ブロック図である。以下の説明において、図１における紙面の上下左右を上下左右方向とする。また、図１の紙面に直交する方向を前後方向とする。
【００１６】
図１に示すように、本実施形態に係るインクジェット印刷装置１は、送出部２と、上流側バッファ部２０と、画像形成部４と、下流側バッファ部７と、巻取部８と、制御部９とを備える。
【００１７】
送出部２は、用紙ロール１０から用紙Ｐを送り出す機構である。用紙ロール１０は、長尺状の連続紙である用紙Ｐがロールされたものである。図１、図３に示すように、送出部２は、メインモータ１１とを備える。
【００１８】
メインモーター１１は、用紙ロール１０を回転可能に支持する用紙ロール支持軸を回転させる駆動手段であり、用紙を送り出す際には、用紙ロール支持軸を図１における時計回りに回転させる。用紙ロール支持軸の回転により用紙ロール１０が同方向に回転し、用紙Ｐが下流側（右側）へ送り出される。用紙ロール支持軸は、図中前後方向、すなわち用紙の送り出し方向に直交する方向に延びる長尺状に形成されている。
【００１９】
上流側バッファ部２０は、送出部２とヘッド下搬送部４０との間で用紙Ｐの弛みを吸収する機構である。上流側バッファ部２０は、支持ローラー１６，１７と、ダンサーローラー１８とを備える。
【００２０】
支持ローラー１６，１７は、送出部２とヘッド下搬送部４０との間において用紙Ｐを支持する。支持ローラー１６，１７は、互いに左右方向に所定間隔だけ離間して、同じ高さに配置されている。
【００２１】
ダンサーローラー１８は、支持ローラー１６，１７の間において、自重により用紙Ｐを押し下げる。これにより、送出部２とヘッド下搬送部４０との間で生じた用紙Ｐの弛みが上流側バッファ部２０に吸収される。ダンサーローラー１８は、用紙Ｐの弛み量に応じて上下動し、用紙Ｐの張力を保持しつつ、弛みを吸収する。
【００２２】
この上流側バッファ部２０の下流側には、アウトフィードモータ１９を備えている。このアウトフィードモータ１９は、送出部２から用紙Ｐを下流側へ送り出すモータであり、用紙Ｐに張力を付与する。アウトフィードモータ１９は、下側のガイドローラー１９ａとの間で用紙Ｐをニップし、用紙ロール１０のメインモータ１１と同期しつつ駆動され、上流側バッファ部２０での弛みを吸収させつつ、用紙Ｐに所定の張力を付与している。
【００２３】
なお、本実施形態では、この上流側バッファ部２０の下流側に、第２バッファ部３が設けられている。この第２バッファ部３は、アウトフィードモータ１９から送り出された用紙Ｐの弛みを吸収する機構である。第２バッファ部３は、支持ローラー１４，１５と、金属棒１３とを備える。
【００２４】
支持ローラー１４，１５は、支持ローラー１４，１５は、互いに左右方向に所定間隔だけ離間して、同じ高さに配置され、用紙Ｐは、これら支持ローラー１４，１５の間に所定の弛みをもって掛け渡されて支持される。このようにして用紙Ｐは、支持ローラー１４，１５の間において、自重により所定長さ分、下方にＵ字状に吊下される。
【００２５】
金属棒１３は、支持ローラー１４，１５の間において、Ｕ字状に吊下された用紙Ｐに沿うように吊下された錘であり、吊下された用紙Ｐを押さえるようにしてＵ字形をなす用紙Ｐの移動軌跡を内側から規制している。
【００２６】
画像形成部４は、主として、ヘッド下搬送部４０と、不平等電界生成手段５と、インクジェットヘッドユニット６とを備える。
【００２７】
ヘッド下搬送部４０は、送出部２により送り出された用紙Ｐを後述するインクジェットヘッド６１Ａ〜６１Ｄの下方の搬送経路に沿って搬送する機構である。図１〜図３に示すように、ヘッド下搬送部４０は、上流側ガイドローラー２１〜２５と、パウダブレーキ４１と、ヘッド下支持ローラー２６〜３１と、ヘッド下搬送モータ３２と、下流側ガイドローラー３３と、一対の支持板３４Ｆ，３４Ｒとを備える。なお、このヘッド下搬送部４０には、その経路の要所に、搬送速度を測定するためのレーザードップラーセンサー４４，４５やエンコーダ４３を備えている。
【００２８】
上流側ガイドローラー２１〜２５は、上流側バッファ部２０とヘッド下支持ローラー２６との間で用紙Ｐをガイドするローラーである。上流側ガイドローラーのうち、ローラー２１と２２の間に、パウダブレーキ４１が配置されている。このパウダブレーキ４１は、用紙Ｐにブレーキをかける機構であり、用紙Ｐが必要以上にインクジェットヘッド６側に送り込まれるのを抑える。なお、上流側ガイドローラーのうち、ローラー２２と２３の間にはテンションセンサ４２が設けられており、インクジェットヘッド６の上流側における用紙Ｐの張力を測定している。
【００２９】
ヘッド下支持ローラー２６〜３１は、インクジェットヘッド６１Ａ〜６１Ｄより下側において用紙Ｐを支持する。ヘッド下支持ローラー２６〜３１の最高点をつないだ経路が、インクジェットヘッド６１Ａ〜６１Ｄの下方における用紙Ｐの搬送経路である。ヘッド下支持ローラー２６〜３１は、用紙搬送方向（左右方向）に沿って間隔を空けて、搬送経路が上に凸形状となるように放物線状に配置されている。ヘッド下支持ローラー２６〜３１は、それぞれの回転軸２６ａ〜３１ａが支持板３４Ｆ，３４Ｒに支持されている。
【００３０】
ヘッド下支持ローラー２６は、用紙搬送方向において、インクジェットヘッド６１Ａの上流側近傍に配置されている。ヘッド下支持ローラー２７，２８，２９は、用紙搬送方向において、それぞれインクジェットヘッド６１Ａ，６１Ｂ間、インクジェットヘッド６１Ｂ，６１Ｃ間、インクジェットヘッド６１Ｃ，６１Ｄ間に配置されている。換言すれば、ヘッド下支持ローラー２７，２８，２９は、それぞれインクジェットヘッド６１Ａ，６１Ｂ，６１Ｃの下流側近傍であって、インクジェットヘッド６１Ｂ，６１Ｃ，６１Ｄの上流側近傍に配置されている。ヘッド下支持ローラー３０は、用紙搬送方向において、インクジェットヘッド６１Ｄの下流側近傍に配置されている。ヘッド下支持ローラー３１は、用紙搬送方向において、ヘッド下支持ローラー３０の下流側に配置されている。
【００３１】
ヘッド下搬送モータ３２は、駆動ローラー３２ａを回転駆動させる。駆動ローラー３２ａは、上部ローラー３２ｂとの間で用紙Ｐをニップしつつ回転することにより、用紙Ｐを右方向へ搬送する。駆動ローラー３２ａは、その回転軸３２ｃによって支持板３４Ｆ，３４Ｒに支持されている。
【００３２】
支持板３４Ｆ，３４Ｒは、ヘッド下支持ローラー２６〜３１の回転軸２６ａ〜３１ａ及び駆動ローラー３２ａの回転軸３２ｃを回転可能に支持する。支持板３４Ｆ，３４Ｒは、用紙Ｐの搬送経路を挟んで前後方向に互いに離間して配置されている。下流側ガイドローラー３３は、ヘッド下支持ローラー３１と下流側バッファ部７との間で用紙Ｐをガイドする。
【００３３】
不平等電界生成手段５は、ヘッド下支持ローラー２６〜３０の表面に不平等電界を形成させる機構であり、図４に示すように、ヘッド下支持ローラー２６〜３０のそれぞれに接触させた複数の電極ローラー５２と、電極ローラー５２に交流電圧をかけ、狭間隔で正逆の電荷を印加する印加手段５１とを備えている。
【００３４】
詳述すると、用紙Ｐの支持部材であるヘッド下支持ローラー２６〜３０の表面はポリイミドなどの不導電体で形成されており、不平等電界生成手段５は、用紙搬送時において常に、ヘッド下支持ローラー２６〜３０に接触させた電極ローラー５２を通じて、図５（ａ）及び（ｂ）に示すような、印加手段５１により交流電圧をかけて狭間隔で正逆の電荷を印加する。これにより、不平等電界（電気力線が一部に集中する電界）が形成さるとともに電界強度の勾配が大きくなりグラジエント力をヘッド下支持ローラー２６〜３０の表面に発生させる。その結果、図５（ｂ）に示すように、ヘッド下支持ローラー２６，２７間、ヘッド下支持ローラー２７，２８間、ヘッド下支持ローラー２８，２９間、ヘッド下支持ローラー２９，３０間で用紙Ｐを下方に押し下げる吸着力が発生される。なお、通常の搬送時は用紙Ｐに十分なテンションが付与されているため、図５（ａ）に示すように、この吸着力によって用紙Ｐがヘッド下支持ローラー２６〜３０に巻きつくことはない。
【００３５】
印加手段５１は、制御部９によってそのＯＮ／ＯＦＦが制御され、印刷開始時或いは電源投入時にＯＮとされ、搬送時には常に交流電圧を電極ローラー５２に付加するようになっている。特に、本実施形態では、常時電荷を印加していることから、停電やコンセントが抜けた場合に発生する異常停止においても、印加された不平等電界はすぐに消えることはなく、無電源の状態でも異常停止の直後は、用紙Ｐを下方に押し下げる吸着力は維持される。なお、この印加手段５１には、より確実な安定維持のため印加電圧用の非常用電源を設けるようにしてもよい。
【００３６】
インクジェットヘッドユニット６は、ヘッド下支持ローラー２６〜３１上を搬送される用紙Ｐに印刷する。インクジェットヘッドユニット６は、４つのインクジェットヘッド６１Ａ〜６１Ｄを有する。なお、インクジェットヘッド６１Ａ〜６１Ｄの符号におけるアルファベットの添え字（Ａ〜Ｄ）を省略して総括的に表記することがある。
【００３７】
インクジェットヘッド６１Ａ〜６１Ｄは、搬送される用紙Ｐへインクを吐出する。インクジェットヘッド６１Ａ〜６１Ｄは、用紙Ｐの搬送方向（左右方向）に沿って並列して配置されている。インクジェットヘッド６１Ａ〜６１Ｄは、それぞれ異なる色（例えば、ブラック、シアン、マゼンタ、イエロー）のインクを吐出する。インクジェットヘッド６１Ａ〜６１Ｄは、それぞれヘッドモジュール６６を６個ずつ有する。
【００３８】
インクジェットヘッド６１において、ヘッドモジュール６６は、千鳥配置されている。すなわち、インクジェットヘッド６１は、それぞれ前後方向に沿って等間隔で配置された３つのヘッドモジュール６６からなる２列のヘッド列が、前後方向に半ピッチ分だけずれるように配置されて形成されている。ヘッドモジュール６６は、前後方向に沿って配置された複数のノズル（図示せず）を有し、ノズルからインクを吐出する。
【００３９】
下流側バッファ部７は、ヘッド下搬送部４０と巻取部８との間で用紙Ｐの弛みを吸収する機構である。下流側バッファ部７は、支持ローラー７１，７２と、ダンサーローラー７３とを備える。
【００４０】
支持ローラー７１，７２は、ヘッド下搬送部４０と巻取部８との間において用紙Ｐを支持する。支持ローラー７１，７２は、互いに左右方向に所定間隔だけ離間して、同じ高さに配置されている。ダンサーローラー７３は、支持ローラー７１，７２の間において、自重により用紙Ｐを押し下げる。これにより、ヘッド下搬送部４０と巻取部８との間で生じた用紙Ｐの弛みが下流側バッファ部７に吸収される。ダンサーローラー７３は、用紙Ｐの弛み量に応じて上下動する。
【００４１】
巻取部８は、印刷された用紙Ｐを巻き取る機構である。巻取部８は、インフィードモータ８６と、内部バッファ部８０と、下流ガイドローラー８４と、巻取モータ８５とを備える。
【００４２】
巻取モータ８５は、巻取軸を図１における時計回りに回転させる駆動機構である。巻取モータ８５の回転駆動により、用紙Ｐが巻取軸に巻き取られる。巻取軸は、前後方向に延びる長尺状に形成されており、巻取モータ８５によって回転されて用紙Ｐを巻き取って保持する。
【００４３】
インフィードモータ８６は、下流側バッファ部７から送り出された用紙Ｐを巻取部８内に送り込む駆動モータである。このインフィードモータ８６と、巻取モータ８５との間に、内部バッファ部が設けられている。
【００４４】
内部バッファ部８０は、ヘッド下搬送部４０と巻取部８との間で用紙Ｐの弛みを吸収する機構であり、支持ローラー８１，８２と、ダンサーローラー８３とを備える。支持ローラー８１，８２は、インフィードモータ８６と巻取モータ８５との間において用紙Ｐを支持する。支持ローラー８１，８２は、互いに左右方向に所定間隔だけ離間して、同じ高さに配置されている。ダンサーローラー８３は、支持ローラー８１，８２の間において、自重により用紙Ｐを押し下げる。これにより、インフィードモータ８６と巻取部８との間で生じた用紙Ｐの弛みが下流側バッファ部７に吸収される。ダンサーローラー８３は、用紙Ｐの弛み量に応じて上下動する。
【００４５】
制御部９は、インクジェット印刷装置１の各部の動作を制御する。制御部９は、ＣＰＵ、ＲＡＭ、ＲＯＭ、ハードディスクなどを備えて構成される。
【００４６】
（インクジェット印刷装置の動作）
次に、インクジェット印刷装置１の動作について説明する。
まず、制御部９は、印刷ジョブが入力された場合、印刷動作を開始する。具体的には、制御部９は、メインモータ１１、アウトフィードモータ１９、ブレーキ４１、及び巻取モータ８５を起動させる。これにより、送出部２から巻取部８へ向かって用紙Ｐが搬送される。ヘッド下搬送部４０では、用紙Ｐにブレーキ４１によりブレーキがかけられることで、用紙Ｐに張力が付与されつつ、用紙Ｐが搬送される。
【００４７】
このとき、制御部９によって不平等電界生成手段５の印加手段５１もＯＮとされ、搬送時には常に交流電圧が電極ローラー５２に付加される。これにより、不平等電界生成手段５が、用紙搬送時において常に、ヘッド下支持ローラー２６〜３０に接触させた電極ローラー５２を通じて、印加手段５１により交流電圧をかけて狭間隔で正逆の電荷が印加されることとなる。この電荷の印圧により、不平等電界（電気力線が一部に集中する電界）が形成さるとともに電界強度の勾配が大きくなりグラジエント力をヘッド下支持ローラー２６〜３０の表面に発生される。その結果、搬送時常に、ヘッド下支持ローラー２６，２７間、ヘッド下支持ローラー２７，２８間、ヘッド下支持ローラー２８，２９間、ヘッド下支持ローラー２９，３０間で用紙Ｐを下方に押し下げるように吸着される。なお、通常の搬送時は用紙Ｐに十分なテンションが付与されているため、図５（ａ）に示すように、この吸着力によって用紙Ｐがヘッド下支持ローラー２６〜３０に巻きつくことはない。
【００４８】
用紙Ｐの搬送速度が所定速度に達した後、制御部９は、インクジェットヘッド６による印刷を開始させる。具体的には、制御部９は、印刷ジョブに基づきインクジェットヘッド６１Ａ〜６１Ｄを制御してインクを用紙Ｐに吐出させて画像を形成する。
【００４９】
そして、印刷動作の開始後、例えば、用紙Ｐの蛇行が検出されるなどの緊急事態が発生した場合、制御部９は、用紙搬送動作の緊急停止を行う。具体的には、制御部９は、メインモータ１１、ヘッド下搬送モータ３２、ブレーキ４１、及び巻取モータ８５を停止させる。ここで、制御部９は、用紙Ｐの弛みや破断が生じないように、メインモータ１１、ヘッド下搬送モータ３２、ブレーキ４１、及び巻取モータ８５の停止タイミングや、メインモータ１１、ヘッド下搬送モータ３２、及び巻取モータ８５の減速加速度を制御する。この用紙搬送動作が終了すると、一連の動作が終了となる。
【００５０】
ここで、インクジェット印刷装置１において緊急事態が発生している状況であるため、用紙搬送動作の停止時に用紙Ｐの挙動が乱れることで、図６に示すような、用紙Ｐの弛みや破断が生じるおそれがある。そこで、本実施形態では、図５（ｂ）に示すように、ヘッド下支持ローラー２６〜３０の表面において、グラジエント力が発生されているため、停止時に、ヘッド下支持ローラー２６，２７間、ヘッド下支持ローラー２７，２８間、ヘッド下支持ローラー２８，２９間、ヘッド下支持ローラー２９，３０間で用紙Ｐを下方に押し下げるように吸着される。なお、本実施形態では、常時電荷を印加していることから、停電やコンセントが抜けた場合に発生する異常停止においても、印加された不平等電界はすぐに消えることはなく、無電源の状態でも異常停止の直後は、用紙Ｐを下方に押し下げる吸着力は維持されている。
【００５１】
（作用・効果）
以上説明したように、インクジェット印刷装置１によれば、用紙Ｐの支持部材であるヘッド下支持ローラー２６〜３０を不導電体で形成し、このヘッド下支持ローラー２６〜３０に接触させた電極ローラー５２を通じて、印加手段５１により交流電圧をかけて狭間隔で正逆の電荷を印加することにより、グラジエント力をヘッド下支持ローラー２６〜３０の表面に発生させる。このグラジエント力により、ヘッド下支持ローラー２６〜３０間の用紙Ｐを下方に押し下げるような、吸着力をヘッド下支持ローラー２６〜３０表面に発生させることができる。これにより、用紙搬送の異常停止により用紙Ｐに弛みや破断が生じた場合でも、用紙Ｐのインクジェットヘッド６１Ａ〜６１Ｄへの接近を抑えることができ、インクジェットヘッド６１Ａ〜６１Ｄへの用紙Ｐの接触を低減して、インクジェットヘッド６１Ａ〜６１Ｄ周りの不具合の発生を回避できる。
【００５２】
特に、本実施形態では、用紙を支持するヘッド下支持ローラー２６〜３０と、不平等電界生成手段とを一体化させているため、既存の機構に大きな変更を加えることなく、インクジェットヘッドへの用紙の接触を低減して、異常停止時などにおけるインクジェットヘッド周りの不具合の発生を回避できる。
【００５３】
また、本実施形態では、搬送時には常に交流電圧を電極ローラー５２に付加するようしていることから、停電やコンセントが抜けた場合に発生する異常停止においても、印加された不平等電界はすぐに消えることはなく、無電源の状態でも異常停止の直後は、用紙Ｐを下方に押し下げる吸着力は維持される。なお、通常の搬送時は用紙Ｐに十分なテンションが付与されているため、この吸着力によって用紙Ｐがヘッド下支持ローラー２６〜３０に巻きつくことはない。
【００５４】
本発明は上記実施の形態そのままに限定されるものではなく、ここでは記載していない様々な実施形態などを含み、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００５５】
Ｐ…用紙
１…インクジェット印刷装置
２…送出部
３…第２バッファ部
４…画像形成部
５…不平等電界生成手段
６…インクジェットヘッドユニット
７…下流側バッファ部
８…巻取部
９…制御部
１０…用紙ロール
１１…メインモータ
１３…金属棒
１４，１５…支持ローラー（上流側バッファ部）
１６，１７…支持ローラー（第２バッファ部）
１８…ダンサーローラー（上流側バッファ部）
１９…アウトフィードモータ
２０…上流側バッファ部
２１〜２５…上流側ガイドローラー
４１…ブレーキ
２６ａ〜３１ａ…回転軸
２６〜３０…ヘッド下支持ローラー
３２…ヘッド下搬送モータ
３２ａ…駆動ローラー
３２ｂ…上部ローラー
３２ｃ…回転軸
３３…下流側ガイドローラー
３４Ｆ，３４Ｒ…支持板
４０…ヘッド下搬送部
４１…パウダブレーキ
４２…テンションセンサ
５１…印加手段
５２…電極ローラー
６１…インクジェットヘッド
６１Ａ〜６１Ｄ…インクジェットヘッド
６６…ヘッドモジュール
７１，７２…支持ローラー（下流側バッファ部）
７３…ダンサーローラー（下流側バッファ部）
８０…内部バッファ部
８１，８２…支持ローラー（内部バッファ部）
８３…ダンサーローラー（内部バッファ部）
８４…下流ガイドローラー
８５…巻取モータ
８６…インフィードモータ
【図１】
2017043471.tif 000003
【図３】
2017043471.tif 000004
【図４】
2017043471.tif 000005
【図６】
2017043471.tif 000006
【図２】
2017043471.tif 000007
【図５】
2017043471.tif 000008